(57)【要約】【課題】  表示単位を個別にアドレスしなくともよい表示装置を実現する。【解決手段】  本発明では、いくつかのアクティブ表示単位３０２Ａ〜Ｉを含むサブピクセル・アセンブリ３００を用いる。それぞれのアクティブ表示単位は、光を制御することができ、しかも、信号に応答するターンオンしきい値３０４Ａ〜Ｉを持っている。アクティブ表示単位は、信号に応答して光のディザリングを実現するために、それ自体のターンオンしきい値によって編成される。【選択図】  図３
2004226980.tif 000002
【特許請求の範囲】
【請求項１】
それぞれが光を制御できるとともに、信号に応答するターンオンしきい値をそれぞれが有している複数のアクティブ表示単位を備え、
前記複数のアクティブ表示単位が、前記信号に応答して前記光のディザリングを実現するために、それ自体のターンオンしきい値によって編成されている、サブピクセル・アセンブリ。
【請求項２】
前記複数のアクティブ表示単位が、ｎ×ｎのアクティブ表示単位のマトリクスを含むことを特徴とする請求項１に記載のサブピクセル・アセンブリ。
【請求項３】
前記ｎ×ｎのアクティブ表示単位のマトリクスが、３×３のアクティブ表示単位のマトリクスを含むことを特徴とする請求項２に記載のサブピクセル・アセンブリ。
【請求項４】
前記マトリクスの前記アクティブ表示単位のターンオンしきい値が、左上側のアクティブ表示単位から右下側のアクティブ表示単位へ、１、８、３、７、５、６、４、９、２のように互いに相対的に順序付けられ、しかも、１の順序付けが最小のターンオンしきい値を示し、また９の順序付けが最大のターンオンしきい値であることを特徴とする請求項３に記載のサブピクセル・アセンブリ。
【請求項５】
前記複数のアクティブ表示単位が、グループでアドレス指定可能であることを特徴とする請求項１に記載のサブピクセル・アセンブリ。
【請求項６】
それぞれのアクティブ表示単位が、前記信号を受容する受容要素と、前記信号が前記ターンオンしきい値を超えたときに前記光を制御する光制御要素とを備えることを特徴とする請求項１に記載のサブピクセル・アセンブリ。
【請求項７】
それぞれのアクティブ表示単位のターンオンしきい値が、前記複数のアクティブ表示単位のうちの他のアクティブ表示単位のターンオンしきい値に対して一意であることを特徴とする請求項１に記載のサブピクセル・アセンブリ。
【請求項８】
それぞれのアクティブ表示単位のターンオンしきい値が、前記信号の強度に応答することを特徴とする請求項１に記載のサブピクセル・アセンブリ。
【請求項９】
それぞれのアクティブ表示単位のターンオンしきい値が、前記信号の或る周波数範囲内の一周波数に応答することを特徴とする請求項１に記載のサブピクセル・アセンブリ。
【請求項１０】
対応するピクセル値に基づいてそれぞれが信号を与える複数のピクセル・ドライバと、
前記複数のピクセル・ドライバで与えられた信号を受容する、前記複数のピクセル・ドライバに対応する複数のアクティブ表示単位グループであって、ディザリングを実現するために、それ自体のターンオンしきい値によって編成された複数のアクティブ表示単位をそれぞれが含んでいる複数のアクティブ表示単位グループと、
を備え、
それぞれのアクティブ表示単位が色を表示でき、またそれぞれのアクティブ表示単位のターンオンしきい値が、前記グループが対応しているピクセル・ドライバの信号に応答する表示装置。
【発明の詳細な説明】
【背景技術】
【０００１】
表示装置は、一般に、大きい画像を見るために、コンピュータまたはビデオ装置からの画像を壁面またはスクリーン上に前面投射または背面投射する、光源、光学系、電子回路を統合した装置であるプロジェクタ・システムを含む。このプロジェクタ・システムは、プレゼンテーションを自分の職務の一部として行なうビジネス・ユーザの間では、とりわけ人気がある。さらに新しいプロジェクタは、重さがわずか数ポンドであることもあり、そのことから、出張者にうってつけのものとなる。プロジェクション技術の質が高まってきたので、プロジェクタはまた、高品位テレビ（ＨＤＴＶ）および他のホーム・エンターテイメント用途向けに、人々の家庭にも進出している。業界専門家のなかには、デジタル・プロジェクタは、映画館で使用される標準プロジェクション技術ともなろうと予測しているものもいる。
【０００２】
プロジェクタ・システムは、普通、所与のピクセル解像度を提供するために、いくつかの表示単位（ｄｉｓｐｌａｙ  ｕｎｉｔ）を含む。例えば、表示単位のタイプにより、また、白黒プロジェクション・システムが求められているか、カラー・プロジェクション・システムが求められているかどうかにより、ピクセルごとに、このような表示単位が１つまたは複数あることがある（例えば、赤色、緑色、青色に対して、３つのサブピクセル）。これらの表示単位は、通常、個別にアドレス指定可能であり、このことは、このプロジェクタ・システムが、内部で、それぞれの表示単位と個別にやり取りできなければならないことを意味している。ＳＶＧＡ解像度（８００×６００の解像度、すなわち４８０，０００個のピクセル）、またはＸＧＡ解像度（１０２４×７６８の解像度、すなわち７８６，４３２個のピクセル）を持つプロジェクタ・システムでは、これは、このプロジェクタ・システムが、多数の表示単位を個別にアドレス指定しなければならない場合があることを意味している。このように、それぞれの表示単位を個別にアドレス指定すると、甚だしく複雑になり、その結果として得られるプロジェクタ・システムへのコストが増すこともある。
【発明の開示】
【発明が解決しようとする課題】
【０００３】
本発明は上記従来技術に見られる問題点の少なくとも幾つかを解決することを課題とする。
【課題を解決するための手段】
【０００４】
本発明の一実施形態のサブピクセル・アセンブリは、いくつかのアクティブ表示単位を含む。それぞれのアクティブ表示単位は、光を制御することができ、しかも、信号に応答するターンオンしきい値（ｔｕｒｎ−ｏｎ  ｔｈｒｅｓｈｏｌｄ）を持っている。アクティブ表示単位は、信号に応答して光のディザリングを実現するために、それ自体のターンオンしきい値によって編成される。
【発明を実施するための最良の形態】
【０００５】
本発明の模範的な実施形態の以下の詳細な説明では、本明細書の一部を成す添付図面を参照する。この添付図面には、本発明を実施できる特定の模範的な実施形態が例示として示されている。これらの実施形態は、当業者が本発明を実施できるようにする程度に詳しく述べられている。他の実施形態が利用されることもあり、また本発明の精神または範囲から逸脱することなく、論理的変更、機械的変更、および他の変更が行われることがある。それゆえ、以下の詳細な説明は、限定的な意味で解されるべきではなく、本発明の範囲は、併記の特許請求の範囲によってのみ定義される。
【０００６】
［アクティブ表示単位］
図１は、本発明の実施形態を共同して実施できるアクティブ表示単位１００を示している。アクティブ表示単位１００は、一実施形態において、２００１年１２月１４日に出願されてシリアル番号１０／０２０，１１２が割り当てられている、最初に挙げた発明者Ｗｉｌｌｉａｍ  Ｊ．Ａｌｌｅｎを記した「Method and Apparatus for Image and Video Display（イメージおよびビデオの表示用の方法と装置）」と称する特許出願（以前に出願されて、共同譲渡されたもの）に特記された表示単位であるかもしれない。しかしながら、当業者で理解できるように、この引用特許出願に特記されたものに加えて、他のアクティブ表示単位も、アクティブ表示単位１００として使用される場合もある。
【０００７】
アクティブ表示単位１００は、受容要素（receptive element)102と、発光要素（emissive element）などの光制御要素１０４を含む。受容要素１０２は、特定の信号１０６を受容する。信号１０６は、ワイヤード（有線）信号またはワイヤレス（無線）信号として、受容要素１０２に与えられることがある。例えば、信号１０６は、特定の周波数範囲を持つ赤外線（ＩＲ）信号、または特定の強度を持つ信号であることがある。受容要素１０２は、ターンオンしきい値１０８を含む。信号１０６が、受容要素１０２のターンオンしきい値１０８を超える場合には、光制御要素１０４は、所定の強度（または輝度:intensity）で特定の色１１０を表示する。すなわち、光制御要素１０４は、一実施形態において、固定された強度で色１１０を表示できるか、あるいは、色１１０をまったく表示できない。この実施形態では、要素１０４は、例えば、或る強度範囲では色１１０を表示することができない。色１１０は、白、赤、緑、青、または他の色とすることができる。
【０００８】
図２Ａは、しきい値１０８が信号１０６の強度に基づいているアクティブ表示単位１００の動作を描いたグラフ２００を示しているが、しかしながら、図２Ｂは、本発明の様々な実施形態により、しきい値１０８が信号１０６の周波数に基づいているアクティブ表示単位１００の動作を描いたグラフ２５０を示している。図２Ａでは、グラフ２００は、ｘ軸２０２にある信号１０６の強度の関数として、ｙ軸２０４に、アクティブ表示単位１００の要素１０４により出力される色の強度をプロットしたものである。アクティブ表示単位１００の受容要素１０２は、グラフ２００の線２１０が階段関数であるように信号１０６に応答する。信号１０６の強度がしきい値１０８よりも小さいときには、要素１０４がオフ状態となってどんな色も出力しないから、光制御要素１０４により出力される色の強度はゼロである。信号１０６の強度が、しきい値１０８よりも大きいときには、要素１０４により出力される色の強度は、要素１０４がオン状態になったから、符号２０８で示される一定のレベルにある。
【０００９】
図２Ｂでは、グラフ２５０は、ｘ軸２０２の信号１０６の周波数の関数として、ｙ軸２０４に、アクティブ表示単位１００の光制御要素１０４により出力される色の強度をプロットしたものである。アクティブ表示単位１００の受容要素１０２は、線２５４がパルス関数であるように信号１０６の或る周波数範囲２５６に応答する。信号１０６の周波数が、周波数範囲２５６内にあるが、ただし、しきい値１０８よりも小さいときには、要素１０４がオフ状態となって、どんな色も出力しないから、要素１０４により出力される色の強度はゼロである。信号１０６の周波数が、周波数範囲２５６内にあり、しきい値１０８よりも大きいときには、要素１０４により出力される色の強度は、要素１０４がオン状態になったから、符号２０８で示される一定のレベルにある。しかしながら、信号１０６の周波数が、しきい値１０８よりも大きくても、周波数範囲２５６内にないときには、要素１０４により出力される色の強度はゼロである。なぜなら、受容要素１０２が、範囲２５６以外の周波数に応答しないからである。
【００１０】
［サブピクセル・アセンブリ］
図３は、本発明の一実施形態による、いくつかのアクティブ表示単位３０２を持つサブピクセル・アセンブリ３００を示している。サブピクセル・アセンブリ３００は、本発明の様々な実施形態において、アクティブ表示単位３０２のグループまたはサブグループとも呼ぶことができる。サブピクセル・アセンブリ３００は、表示されるピクセルに対応し、また、アクティブ表示単位３０２は、サブピクセル・アセンブリ３００のサブピクセルである。アクティブ表示単位３０２は、具体的に言えば、図３に示される実施形態において、３×３のマトリクスに編成された９つのアクティブ表示単位、すなわち、３０２Ａ、３０２Ｂ、３０２Ｃ、３０２Ｄ、３０２Ｅ、３０２Ｆ、３０２Ｇ、３０２Ｈ、３０２Ｉを含む。しかしながら、他の実施形態では、アクティブ表示単位３０２が、９つよりも多いか、または少ないことがある。アクティブ表示単位３０２のそれぞれは、本発明の一実施形態において、図１のアクティブ表示単位として実施されることがある。サブピクセル・アセンブリ３００のアクティブ表示単位３０２のそれぞれが、同一の信号に応答するように、アクティブ表示単位３０２は、好ましくは、個別ではなくて、１グループとしてアドレス指定可能である。アクティブ表示単位３０２は、具体的に言えば、同一色、例えば、白、赤、緑、または青、あるいは、類似する色の別の色を出力することがある。
【００１１】
アクティブ表示単位３０２の少なくとも一部は、ターンオンしきい値が異なり、また、アクティブ表示単位３０２は、それぞれのサブピクセル、すなわち表示単位を個別にアドレス指定せずに、サブピクセル・アセンブリ３００が対応するピクセルのディザリングを実現するために、それ自体のターンオンしきい値によって編成される。図３の実施形態に示されるように、アクティブ表示単位３０２は、正規化され、かつ相対的に順序付けられた一意のターンオンしきい値３０４を持ち、しかも、１のターンオンしきい値は最小ターンオンしきい値を表わし、また９のターンオンしきい値は最大ターンオンしきい値を表わす。アクティブ表示単位３０２のターンオンしきい値３０４は、具体的に言えば、１のターンオンしきい値３０４Ａ、８のターンオンしきい値３０４Ｂ、３のターンオンしきい値３０４Ｃ、７のターンオンしきい値３０４Ｄ、５のターンオンしきい値３０４Ｅ、６のターンオンしきい値３０４Ｆ、４のターンオンしきい値３０４Ｇ、９のターンオンしきい値３０４Ｈ、２のターンオンしきい値３０４Ｉを含む。しかしながら、本発明の他の実施形態では、ターンオンしきい値３０４は、図３に示されるものとは異なるように順序付けられ、また、ターンオンしきい値３０４の一部は、互いに等しいこともある。アクティブ表示単位３０２のターンオンしきい値３０４はまた、好ましくは、互いに無関係でもある。
【００１２】
図４Ａは、本発明の一実施形態によるサブピクセル・アセンブリ４００の１グループを示している。サブピクセル・アセンブリ４００は、具体的に言えば、４００Ａ、４００Ｂ、４００Ｃ、４００Ｄのアセンブリを含んでいる。サブピクセル・アセンブリ４００はそれぞれ、アクティブ表示単位の１グループと見なされるように、別のピクセルに対応することもある。別法として、サブピクセル・アセンブリ４００が、一体になってアクティブ表示単位の１グループを構成し、サブピクセル・アセンブリ４００のそれぞれがアクティブ表示単位の１サブグループと見なされるように、サブピクセル・アセンブリ４００のすべては、ただ１つのピクセルに対応することがある。サブピクセル・アセンブリ４００は、図４Ａでは、実線により互いに区分されているが、しかしながら、サブピクセル・アセンブリ４００のそれぞれの、個別のアクティブ表示単位（わかりやすく図解するために、図４Ａでは、具体的には明示されていない）は、点線により互いに区分されている。サブピクセル・アセンブリ４００のそれぞれは、具体的に言えば、図３の実施形態のサブピクセル・アセンブリ３００として実施される。さらに、サブピクセル・アセンブリ４００のそれぞれの、アクティブ表示単位は、好ましくは、白などの同一色を出力する。
【００１３】
図４Ｂは、本発明の一実施形態により、サブピクセル・アセンブリ４００がすべて、６の強度を持つ同一信号に応答する一例を示している。サブピクセル・アセンブリ４００のうち、前述の信号でオン状態にされたことに応答して色を出力するアクティブ表示単位は、陰影を付けて図４Ｂに示されているが、しかしながら、サブピクセル・アセンブリ４００のうち、色を出力しないアクティブ表示単位は、オン状態にはならないから、白のままで示されている。（出力されている色が白である場合には、これは、陰影の付けられた表示単位が、白を出力するものであるが、しかしながら、陰影の付けられてない表示単位が、白をまったく出力していないもの、したがって、黒であることを意味することに留意する）。サブピクセル・アセンブリ４００のそれぞれは、具体的に言えば、図３の実施形態のサブピクセル・アセンブリ３００として実施されるから、これは、サブピクセル・アセンブリ３００の表示単位３０２Ａ、３０２Ｃ、３０２Ｅ、３０２Ｇ、３０２Ｉが、サブピクセル・アセンブリ４００のそれぞれとして、オン状態になって、色を出力することを意味する。これは、６である信号の強度は、それぞれの表示単位３０２のターンオンしきい値３０４Ａ、３０４Ｃ、３０２Ｅ、３０２Ｇ、３０２Ｉよりも大きく、他の表示単位３０２のターンオンしきい値３０４よりも大きくないからである。
【００１４】
したがって、サブピクセル・アセンブリ４００のうち、オン状態になるアクティブ表示単位の数は、それらのアクティブ表示単位が応答する信号の強度レベルに基づく。この信号の強度レベルが比較的に低いときには、サブピクセル・アセンブリ４００のうち、オン状態になる表示単位の数が少なくなるが、しかしながら、この信号の強度レベルが比較的に高いときには、サブピクセル・アセンブリ４００のうち、オン状態になる表示単位の数が多くなる。それゆえ、サブピクセル・アセンブリ４００のそれぞれの、アクティブ表示単位を、そのアクティブ表示単位ごとに異なるターンオンしきい値に基づいて編成すれば、ディザリングが実現される。すなわち、サブピクセル・アセンブリ４００のそれぞれの各表示単位が、最大限の色を表示すること、あるいは色をまったく表示しないことしかできない図４Ｂの例では、それでも、サブピクセル・アセンブリ４００のそれぞれに、しきい値の異なる表示単位を持つことにより、この色の様々な色調を持つ、サブピクセル・アセンブリ４００が対応するピクセルを表示することができる。例えば、様々なグレー階調を持つピクセルでは、サブピクセル・アセンブリ４００は、アクティブ表示単位が、それ自体、白しか出力できないことがあっても、そのターンオンしきい値が異なるために、それらのアクティブ表示単位を選択的にオン状態にすることで、グレー階調を擬似的に再現できる。
【００１５】
したがって、図４Ａと図４Ｂの実施形態は、いくつかのサブピクセル・アセンブリ３００のグループ化を利用して、異なるグレー階調が得られる白黒ディスプレイなどのモノクロ・ディスプレイを具体的に実現する。しかしながら、本発明の他の実施形態では、いくつかのサブピクセル・アセンブリ３００をグループおよび／またはサブグループにまとめれば、異なる色の異なる強度が得られるカラーディスプレイを具体的に実現することができる。図５Ａと図５Ｂは、本発明の様々な実施形態により、ディザリングを通じて、異なる色の異なる強度を表示するようなサブピクセル・アセンブリ５００の１グループを示している。
【００１６】
図５Ａでは、このようなサブピクセル・アセンブリ５００のグループは、具体的に言えば、５００Ａ、５００Ｂ、５００Ｃ、５００Ｄのサブピクセル・アセンブリを含む。サブピクセル・アセンブリ５００のそれぞれは、アクティブ表示単位の１サブグループと呼ばれることがあり、また、すべてのサブピクセル・アセンブリ５００のグループは、アクティブ表示単位の１グループと呼ばれることがある。他の実施形態では、すべてのサブピクセル・アセンブリ５００のグループが、アクティブ表示単位のこのような４つのグループを含むように、サブピクセル・アセンブリ５００のそれぞれは、アクティブ表示単位の１グループと呼ばれる。このようなサブピクセル・アセンブリ５００のグループは、赤色成分、緑色成分、青色成分などの構成色成分を持つ単一ピクセルに対応する。サブピクセル・アセンブリ５００は、図５Ａでは互いに区分されているが、しかしながら、サブピクセル・アセンブリ５００のそれぞれの、個別のアクティブ表示単位（わかりやすく図解するために、図５Ａでは、具体的には明示されていない）は、点線により互いに区分されている。サブピクセル・アセンブリ５００のそれぞれの、表示単位は、図５Ａの実施形態では、互いに隣接している。
【００１７】
サブピクセル・アセンブリ５００のそれぞれは、好ましくは、図３の実施形態のサブピクセル・アセンブリ３００として具体的に実現される。しかしながら、サブピクセル・アセンブリ５００のアクティブ表示単位は、同一色を出力するとは限らない。例えば、アセンブリまたはサブグループ５００Ａのアクティブ表示単位は、それぞれの表示単位中の文字「Ｒ」で示される赤の色を出力するが、しかしながら、アセンブリまたはサブグループ５００Ｄのアクティブ表示単位は、それぞれの表示単位中の文字「Ｂ」で示される青の色を出力する。アセンブリまたはサブグループ５００Ｂおよび５００Ｃのアクティブ表示単位は、それぞれの表示単位中の文字「Ｇ」で示される緑の色を出力する。したがって、アセンブリ５００Ａのアクティブ表示単位は、サブピクセル・アセンブリ５００が全体として対応するピクセルの赤色成分に一致する信号に応答するが、しかしながら、アセンブリ５００Ｂおよび５００Ｃのアクティブ表示単位は、このピクセルの緑色成分に一致する信号に応答する。同様に、アセンブリ５００Ｄのアクティブ表示単位は、このピクセルの青色成分に一致する信号に応答する。
【００１８】
一実施形態では、サブピクセル・アセンブリ５００のそれぞれの、アクティブ表示単位は、サブピクセル・アセンブリ５００のうちの他のアセンブリのアクティブ表示単位と比較して、異なる信号に応答する。例えば、アセンブリ５００Ａのアクティブ表示単位は、１グループとしてアドレス指定可能であり、しかも、サブピクセル・アセンブリ５００が全体として対応するピクセルの赤色成分に一致する強度を持つ信号に応答することがある。アセンブリ５００Ｂおよび５００Ｃのアクティブ表示単位は、１グループとしてアドレス指定可能であり、しかも、このピクセルの緑色成分に一致する強度を持つ信号に応答することがある。アセンブリ５００Ｄのアクティブ表示単位は、１グループとしてアドレス指定可能であり、しかも、このピクセルの青色成分に一致する強度を持つ信号に応答することがある。
【００１９】
他の実施形態では、サブピクセル・アセンブリ５００のアクティブ表示単位は同一信号に応答するが、この信号は、サブピクセル・アセンブリ５００のそれぞれの、アクティブ表示単位が特に応答する構成成分を持っている。例えば、アセンブリ５００Ａのアクティブ表示単位は、１グループとしてアドレス指定可能であり、しかも、サブピクセル・アセンブリ５００が全体として対応するピクセルの赤色成分に周波数が一致する信号の周波数範囲に応答することがある。アセンブリ５００Ｂおよび５００Ｃのアクティブ表示単位は、１グループとしてアドレス指定可能であり、しかも、このピクセルの緑色成分に周波数が一致する信号の別の周波数範囲に応答することがある。アセンブリ５００Ｄのアクティブ表示単位は、１グループとしてアドレス指定可能であり、しかも、このピクセルの青色成分に周波数が一致する信号の第３の周波数範囲に応答することがある。
【００２０】
図５Ａでは、サブピクセル・アセンブリ５００のアクティブ表示単位は互いに隣接しているが、図５Ｂでは、サブピクセル・アセンブリ５００のアクティブ表示単位は互いに隣接していない。それ以外では、図５Ｂの実施形態は、図５Ａの実施形態と同一である。凡例５０２は、図５Ｂのどのアクティブ表示単位が、サブピクセル・アセンブリ５００のどれに属するのか示している。Ｒｘ（ここで、ｘは、１〜９の数である）として示されるアクティブ表示単位は、アセンブリ５００Ａに属し、赤色を表示する。Ｇ1ｘ（ここで、ｘは、１〜９の数である）として示されるアクティブ表示単位は、アセンブリ５００Ｂに属するが、しかしながら、Ｇ2ｘとして示されるアクティブ表示単位は、アセンブリ５００Ｃに属する。アセンブリ５００Ｂと５００Ｃの双方のアクティブ表示単位は、緑色を出力する。最後に、Ｂｘ（ここで、ｘは、１〜９の数である）として示されるアクティブ表示単位は、アセンブリ５００Ｄに属し、青色を表示する。
【００２１】
［表示装置と表示方法］
図６は、本発明の一実施形態による表示装置６００を示している。表示装置６００は、デジタル式またはアナログ式のプロジェクタ・システム、フロント・プロジェクション（前面投射）式またはリア・プロジェクション（背面投射）式のプロジェクタ・システムなどのようなプロジェクタ・システムとして、図６に具体的に示されている。しかしながら、本発明の他の実施形態では、表示装置６００は、別のタイプの表示装置であることもある。例えば、表示装置６００は、当業者が理解できるように、コンピュータ・モニタ、アクティブ・ディスプレイ広告板、アクティブ・ディスプレイのポスタまたは広告、アクティブ・ディスプレイの交通警告街路標識などであるかもしれない。
【００２２】
表示装置６００は、イメージ機構６０２、ピクセル・ドライバ６０４、アクティブ表示単位グループ６０６を含む。表示装置６００はまた、当業者が理解できるように、図６に示されるものに加えて、あるいは図６に示されるものの代りに、他の構成要素を含むことがある。イメージ機構６０２は、矢印６１６で示されるように、イメージ・ソースからイメージ・データを受け取るソフトウェア、ハードウェア、またはソフトウェアとハードウェアの組合せを含む。さらに、イメージ機構６０２は、イメージ・データが、ピクセル・ドライバ６０４と同じ解像度を持たなければ、オプションとして、そのイメージデータをスケーリングすることもある。イメージ・データのそれぞれのピクセルに対して、イメージ機構６０２は、そのピクセルの値を、ピクセル・ドライバ６０４のうちの対応する１つに伝える。
【００２３】
ピクセル・ドライバ６０４は、ピクセル・ドライバ６０４Ａ、６０４Ｂ、．．．、６０４Ｎと、具体的にピクセル・ドライバ６０８を含む。ピクセル・ドライバ６０４はまた、ハードウェアおよび／またはソフトウェアとしても実現されることがある。ピクセル・ドライバ６０４は、イメージ機構６０２によりピクセル・ドライバ６０４に伝えられたピクセル値に応答して、これらのピクセル値に基づく信号を、それらの対応するアクティブ表示単位グループ６０６に提供する。すなわち、ピクセル・ドライバ６０４のそれぞれは、個別に、アクティブ表示単位グループ６０６のうちの１つとやり取りする。アクティブ表示単位グループ６０６は、アクティブ表示単位グループ６０６Ａ、６０６Ｂ、．．．、６０６Ｎと、具体的にアクティブ表示単位グループ６１４を含む。
【００２４】
本発明の一実施形態では、アクティブ表示単位グループ６０６はそれぞれ、図３のサブピクセル・アセンブリ３００、図４Ａと図４Ｂのサブピクセル・アセンブリ４００のグループ、あるいは、図５Ａまたは図５Ｂのサブピクセル・アセンブリ５００のグループとして実現されることがある。アクティブ表示単位グループ６０６に伝えられた信号に応答して、そのグループのアクティブ表示単位は、受け取られた信号が、それらのアクティブ表示単位のターンオンしきい値を超えたかどうかに基づいて、色を表示する。わかりやすく図解するために、ピクセル・ドライバ６０４がアクティブ表示単位グループ６０６に与えた信号、すなわち、ピクセル・ドライバ６０８からアクティブ表示単位グループ６１４への信号（１つまたは複数）６１０の１つだけが、図６に示されている。同様に、アクティブ表示単位グループ６１４が表示した色、すなわち、アクティブ表示単位グループ６１４が出力した色（１つまたは複数）６１２の１つだけが、図６に示されている。
【００２５】
ピクセル・ドライバ６０４のそれぞれは、１つまたは複数の信号を、アクティブ表示単位グループ６０６のうちの対応する１つに送ることがある。例えば、アクティブ表示単位グループ６０６のそれぞれの、アクティブ表示単位が、同一色を出力し、同一信号に応答するモノクロ・ディスプレイを実現するために、ピクセル・ドライバ６０４のうちの対応する１つは、その対応するピクセルの値に一致する強度を持つ１つの信号を送ることがある。別の例として、アクティブ表示単位グループ６０６のそれぞれの、アクティブ表示単位が、サブグループに編成されて、異なる色を出力し、同一信号の異なる周波数に応答するようなカラーディスプレイを実現するために、ピクセル・ドライバ６０４のうちの対応する１つは、その対応するピクセルの個別の色成分値に一致する周波数成分を持つ１つの信号を送ることがある。別法として、アクティブ表示単位グループ６０６のそれぞれの、アクティブ表示単位が、サブグループに編成されて、異なる信号に応答するようなカラーディスプレイを実現するために、ピクセル・ドライバ６０４のうちの対応する１つは、その対応するピクセルの個別の色成分値に一致する強度を持つ異なる信号を送ることがある。
【００２６】
図７は、本発明の一実施形態による使用法７００を示している。使用法７００は、図６の表示装置６００で実行できる。使用法７００は、揮発性または非揮発性の媒体、固定式またはリムーバブル（着脱）式の媒体、磁気式、光学式、および／または、ソリッドステート（固体）式の媒体のようなコンピュータ読取り可能媒体に格納されたコンピュータ・プログラムとして実行されることがある。使用法７００は、ただ１つのピクセル・ドライバ（例えば、図６のピクセル・ドライバ６０４の１つ）と、アクティブ表示単位のただ１つのグループ（例えば、アクティブ表示単位グループ６０６の１つ）に関連して述べられている。
【００２７】
例えば図６のイメージ機構６０２を用いて、イメージ・データ・ピクセルの値を、ピクセル・ドライバに送る（７０２）。このピクセル・ドライバは、このイメージ・データ・ピクセルの値に一致する信号（１つまたは複数）を、このピクセルに対応するアクティブ表示単位のグループに出力する（７０４）。この信号は、このピクセルの値に一致する強度、このピクセルの各色成分の値に一致する周波数などを持つことがある。アクティブ表示単位ごとに、適切な信号が、そのアクティブ表示単位のターンオンしきい値を超える場合には、そのアクティブ表示単位をオン状態にする（７０６）。すなわち、そのアクティブ表示単位は、上記信号が、そのターンオンしきい値を超えるような所定の色を表示する。その信号の強度は、そのしきい値を超え、その信号の周波数は、そのしきい値を超えることなどの可能性がある。
【００２８】
図８は、本発明の一実施形態による製造法８００を示している。製造法８００は、図６の表示装置６００を製造するために実行できる。ピクセル・グループに編成してディザリングを実現する（８０６）いくつかのアクティブ表示単位だけでなく（８０４）、いくつかのピクセル・ドライバも、最初に提供する（８０２）。これらのピクセル・ドライバは、ピクセル・グループに対応し、それぞれのピクセル・ドライバは、イメージ・データ・ピクセルの値に一致する１つまたは複数の信号を、対応するピクセル・グループに与える。
【００２９】
したがって、それぞれのグループは、イメージ・データ・ピクセルの値に一致する信号を受容し、その信号に、それぞれのグループのアクティブ表示単位のターンオンしきい値が応答する。これらのアクティブ表示単位は、それぞれのアクティブ表示単位が同一色を表示し、また、好ましくは、それぞれのグループ中に同一ターンオンしきい値を持つアクティブ表示単位が同一数あるようなモノクロ・ディスプレイを実現できる。これらのアクティブ表示単位はまた、それぞれのアクティブ表示単位が、いくつかの色のうちの１つを表示し、また、好ましくは、それぞれのグループには、同一ターンオンしきい値を持つ、それぞれの色のアクティブ表示単位が同一数あるようなカラー・ディスプレイも実現できる。
【００３０】
［結論］
特定の実施形態が、本明細書に図示されて、説明されてきたが、当業者であれば、図示された特定の実施形態は、同一目的を達成するように意図した任意の配置構成で置き換えできるものと理解されることに留意する。本願は、本発明の任意の変更または変形をカバーするつもりである。それゆえ、本発明は、特許請求の範囲、およびそれと同等なものによってのみ限定されるつもりであることが明白である。
【００３１】
ここで参照される図面は、本明細書の一部を成している。図面に示される特徴は、特に明示しなければ、本発明のすべての実施形態ではなくて、本発明の一部の実施形態だけを例示しているものとして意味され、普通なら、それを否定する意味合いは、なされないはずである。
【図面の簡単な説明】
【００３２】
【図１】本発明の実施形態を共同して実施できるアクティブ表示単位の略図である。
【図２Ａ】本発明の様々な実施形態により、信号に応答して、図１のアクティブ表示単位が動作する状態を描いたグラフである。
【図２Ｂ】本発明の様々な実施形態により、信号に応答して、図１のアクティブ表示単位が動作する状態を描いたグラフである。
【図３】本発明の一実施形態により、ディザリングを実現するために、それ自体のターンオンしきい値によって編成されたアクティブ表示単位のサブピクセル・アセンブリあるいはグループまたはサブグループの略図である。
【図４Ａ】本発明の一実施形態により、ディザリングを実現するために、それ自体のターンオンしきい値によって編成された、同一色を出力するアクティブ表示単位のいくつかのグループの略図である。
【図４Ｂ】本発明の一実施形態により、例示として特定の強度の信号に応答した、図４Ａのアクティブ表示単位のグループの略図である。
【図５Ａ】本発明の様々な実施形態により、同一色を出力し、またディザリングを実現するために、それ自体のターンオンしきい値によって編成されたアクティブ表示単位のサブグループから成るいくつかのグループの略図である。
【図５Ｂ】本発明の様々な実施形態により、同一色を出力し、またディザリングを実現するために、それ自体のターンオンしきい値によって編成されたアクティブ表示単位のサブグループから成るいくつかのグループの略図である。
【図６】本発明の一実施形態による表示装置の略図である。
【図７】本発明の一実施形態による使用法の流れ図である。
【図８】本発明の一実施形態による製造法の流れ図である。
【符号の説明】
【００３３】
３００  サブピクセル・アセンブリ
３０２  アクティブ表示単位
６００  表示装置
６０４  ピクセル・ドライバ
６０６  アクティブ表示単位グループ
【図１】
2004226980.tif 000003
【図２Ａ】
2004226980.tif 000004
【図２Ｂ】
2004226980.tif 000005
【図３】
2004226980.tif 000006
【図４Ａ】
2004226980.tif 000007
【図４Ｂ】
2004226980.tif 000008
【図５Ａ】
2004226980.tif 000009
【図５Ｂ】
2004226980.tif 000010
【図６】
2004226980.tif 000011
【図７】
2004226980.tif 000012
【図８】
2004226980.tif 000013